(57)【要約】  【課題】  庫内ケースとその外側部分との間の断熱効果の向上を図ることができ、また冷却庫外部の空気の影響が庫内に及ぶことを抑制する作用を扉の全周において高める。  【解決手段】  冷凍室３０の本体扉３１の裏面には、冷凍室３０の前面開口３４をぐるりと取り囲む形で、本体１０に当接する主ガスケット３５が装着されている。本体扉３１裏面の主ガスケット３５の内側には、補助ガスケット３６が装着されている。補助ガスケット３６は、本体扉３１の輪郭形状に対応する形状で構成されており、その全周に渡って本体１０と冷凍ケース３３とに当接する。これにより、冷却庫１の外部の空気と、冷凍室３０内の冷凍ケース３３との間には、本体扉３１の全周に渡って、主ガスケット３５と補助ガスケット３６の二重のガスケットが存在することになる。【選択図】      図２
2006046750.tif 000002
【特許請求の範囲】
【請求項１】
冷却庫本体と、該本体の庫内に設けられたケースと、前記本体の前面に設けられ庫内を閉塞する扉と、該扉の周縁部の全周に渡って装着され前記本体に当接する主ガスケットと、該主ガスケットよりも内側に装着され前記本体と前記ケースの前面とに当接する補助ガスケットと、を備えたことを特徴とする冷却庫。
【請求項２】
前記補助ガスケットが前記ケースの前面全周に渡って当接し、前記ケースの前面と前記扉の内面との間に空気断熱層が形成されることを特徴とする請求項１に記載の冷却庫。
【請求項３】
前記ケースの後方上部から冷気を導入し、前記ケースの前面部から冷気を排出する冷却庫において、前記補助ガスケットが前記ケースの前面左右端に当接し、前記ケースの前面と前記扉の内面との間に冷気通路が形成されることを特徴とする請求項１に記載の冷却庫。
【発明の詳細な説明】
【技術分野】
【０００１】
本発明は、家庭用または業務用の冷却庫に関する。
【背景技術】
【０００２】
冷却庫は、その本体庫内を閉塞する扉を前面に備えている。扉の周縁部には、扉を閉じた時に冷却庫本体に当接するガスケットが設けられている。これにより、庫内の空気を外部に逃がしたり、外部の空気が庫内へ侵入したりすることを防止して、庫内の温度や湿度を所定の状態に保持できるようにしている。
【０００３】
庫内の空気は、その外部の空間との間の移動だけでなく、本体や扉の壁面における熱伝導の影響も受けやすい。このため、冷却庫本体や扉の内部には断熱材が挿入されている。しかしながら、ガスケットの箇所には断熱材を挿入することができず、断熱効果が弱くなるので、この部分で庫内環境に影響が出たり、結露が発生したりする可能性がある。そこで、ガスケットの箇所での断熱効果の低下を防止する手段がいくつか提案され、その冷却庫の一例を特許文献１に見ることができる。
【特許文献１】特開平１０−１６０３３１号公報（第３頁、図１−２）
【発明の開示】
【発明が解決しようとする課題】
【０００４】
特許文献１に記載の冷蔵庫（冷却庫）の扉では、扉に設けられ、冷蔵庫の外箱（本体）に密着するドアガスケットの内側に、ドアガスケットの方へ空気が流れるのを防止するヒレを備えたパッキンが設けられている。ここで、冷却庫には、庫内に引き出し可能なケースを設けて、独立した断熱区画を構成するものが存在する。特許文献１に記載の冷蔵庫の扉は、扉と冷蔵庫外箱との間の断熱効果の向上を図ったものであって、庫内に設けられたケースに対して特別な配慮が払われているわけではない。これにより、ケースにより独立した断熱区画を構成しても、ケース内の温度や湿度を保持することが困難になる。また、この扉には、下部にしかヒレを備えたパッキンが設けられていないので、上部や側部では外部の空気の影響を受ける可能性が高い。したがって、上部や側部において、庫内環境に影響が出たり、結露が発生したりする恐れがある。
【０００５】
本発明は上記の点に鑑みなされたものであり、庫内において、ケース内と冷却庫外部との間の断熱効果の向上を図ることができ、また冷却庫の外部の空気の影響が庫内に及ぶことを抑制する作用を扉の全周において高めることが可能な冷却庫を提供することを目的とする。
【課題を解決するための手段】
【０００６】
上記の課題を解決するため、本発明では、冷却庫を次のように構成する。
【０００７】
（１）冷却庫本体と、該本体の庫内に設けられたケースと、前記本体の前面に設けられ庫内を閉塞する扉と、該扉の周縁部の全周に渡って装着され前記本体に当接する主ガスケットと、該主ガスケットよりも内側に装着され前記本体と前記ケースの前面とに当接する補助ガスケットと、を備えることとした。
【０００８】
（２）前記構成の冷却庫に対し、前記補助ガスケットが前記ケースの前面全周に渡って当接し、前記ケースの前面と前記扉の内面との間に空気断熱層が形成されるようにすれば、ケースの前面の箇所において断熱効果がより一層向上する。したがって、ケースへの熱の侵入を効果的に抑制することが可能となる。
【０００９】
（３）前記構成の冷却庫に対し、前記ケースの後方上部から冷気を導入し、前記ケースの前面部から冷気を排出する冷却庫において、前記補助ガスケットが前記ケースの前面左右端に当接し、前記ケースの前面と前記扉の内面との間に冷気通路が形成されるようにすれば、ケースの後方から前方にかけて、冷気を円滑に誘導することが可能となる。これにより、ケースに冷気を効果的に送り込むことができ、ケース内を均一に冷却することができる。
【発明の効果】
【００１０】
本発明によれば、冷却庫の外部の空気と、庫内のケースとの間には、主ガスケットと補助ガスケットの二重のガスケットが存在することになる。したがって、庫内において、ケース内と冷蔵庫外部との間の断熱効果の向上を図ることが可能となる。その結果、ケースによる独立した断熱区画がその性能を発揮し、ケース内の温度や湿度を好適に保持することができる。また、補助ガスケットを扉の輪郭形状に対応する形状で構成することにより、冷却庫の外部の空気の影響が庫内に及ぶことを抑制する作用を扉の全周において高めることが可能となる。
【発明を実施するための最良の形態】
【００１１】
以下、本発明の実施形態を図１〜図１０に基づき説明する。
【００１２】
最初に、本発明の第１の実施形態に係る冷却庫について、図１〜図３を用いてその構成を説明する。図１は冷却庫の垂直断面左側面図、図２は冷凍室上部のガスケット周辺を示す部分拡大垂直断面図、図３は冷凍室の本体扉の背面図である。図１、及び図２において、左方が冷却庫の前面側、右方が背面側である。
【００１３】
図１に示すように、冷却庫１は、断熱構造の本体１０の内部を仕切り部１１により上下に２分し、上方の区画を冷蔵室２０、下方の区画を冷凍室３０としている。冷蔵室２０と冷凍室３０の庫内は、前面開口部分に設けられた断熱構造の本体扉２１、３１によってそれぞれ閉塞される。本体扉２１は下縁に窪み状の手掛け部２２を有し、本体扉３１は上縁に窪み状の手掛け部３２を有している。これらの手掛け部に手を掛けることにより、本体扉を開くことができる。
【００１４】
冷蔵室２０は、複数の棚２３により複数段に仕切られている。本体扉２１の内面には、ボトル類や飲料の紙パックなどを収納するラック２４が上下２段にわたり取り付けられている。冷蔵室２０の中で最も下の部分には、独立の断熱区画４０が設けられ、断熱構造の区画本体４１を備えている。
【００１５】
冷凍室３０には、計４個の冷凍ケース３３ａ、３３ｂ、３３ｃ、３３ｄが上下に重なる形で収納されている。冷凍ケース３３ａ、３３ｂ、３３ｃ、３３ｄは、それぞれ前面側から見た左右両側の縁部によって冷凍室３０の内面に支持されており、前方にスライドさせて引き出すことができる。
【００１６】
本体１０の背面下部のコーナー部には、圧縮機室１２が形成され、ここに圧縮機１３が配置されている。本体１０の背面壁の前面側、すなわち冷蔵室２０と冷凍室３０の奥の壁の前面側には、庫内を上下に貫通するダクト１４が形成されている。ダクト１４の下端には、圧縮機１３で圧縮した冷媒を膨脹させて周囲の空気から熱を奪う熱交換器１５が配置されている。なお、圧縮機１３で圧縮された冷媒の持つ熱を庫外に放熱させる図示しない放熱回路が、本体１０の壁の中に張り巡らされている。
【００１７】
ダクト１４の中で、熱交換器１５の上方にあたる箇所には送風機１６が設置されている。送風機１６を運転すると、ダクト１４の下端の吸込口１７から冷凍室３０内の空気が吸い込まれる。吸い込まれた空気は、熱交換器１５を通る間に冷却されて冷気となる。冷気は吹出口１８を通じて冷凍室３０に、吹出口１９を通じて冷蔵室２０に、それぞれ吹き出される。ダクト１４の適所に設けられた図示しないダンパが、吹出口１８と吹出口１９からの冷気吹出量を調整する。冷蔵室２０内の空気は、図示しない戻りダクトを通じて吸込口１７に戻される。
【００１８】
冷蔵室２０下部の断熱区画４０は、それ以外の冷蔵室空間と異なる温度帯で使用することが可能である。例えば、断熱区画４０の内部温度を、冷蔵温度帯と冷凍温度帯に切り替えて使用される。本体４１の内部にはダクト１４よりダンパ部４２を通じて所要量の冷気が吹き込まれる。
【００１９】
冷蔵室２０の本体扉２１の裏面には、冷蔵室２０の前面開口２５を全周に渡ってぐるりと取り囲む形で、主ガスケット２６が装着されている。同様に、冷凍室３０の本体扉３１の裏面には、冷凍室３０の前面開口３４を全周に渡ってぐるりと取り囲む形で、主ガスケット３５が装着されている。また、本体扉３１の裏面には、主ガスケット３５よりも内側に補助ガスケット３６が装着されている。冷凍室３０の本体扉３１の裏面に設けられたこれらのガスケットについて、図２、及び図３を用いてその詳細を以下に説明する。
【００２０】
主ガスケット３５は、本体扉３１が閉じられた時、本体１０に当接する。図２に示すように、主ガスケット３５は、その上縁部において、本体１０の仕切り部１１に当接する。
【００２１】
補助ガスケット３６は、本体扉３１が閉じられた時、本体１０と、冷凍室３０庫内に設けられた冷凍ケース３３の前面とに当接する。補助ガスケット３６は、本体扉３１の輪郭形状に対応する形状で構成されており、図３に示すように、その全周に渡って本体１０と冷凍ケース３３に当接する。補助ガスケット３６は、その上縁部において、図２に示すように、本体１０の仕切り部１１と、最上方の冷凍ケース３３ａの前面とに当接する。
【００２２】
このようにして、冷却庫１の本体１０と、この本体１０の冷凍室３０内に設けられた冷凍ケース３３と、本体１０の前面に設けられ庫内を閉塞する本体扉３１と、この本体扉３１の周縁部の全周に渡って装着され本体１０に当接する主ガスケット３５と、この主ガスケット３５よりも内側に装着され本体１０と冷凍ケース３３の前面とに当接する補助ガスケット３６とを備えるので、冷却庫１の外部の空気と、冷凍室３０内の冷凍ケース３３との間には、主ガスケット３５と補助ガスケット３６の二重のガスケットが存在することになる。したがって、冷凍室３０内において、冷凍ケース３３内と冷却庫１の外部の空気との間の断熱効果の向上を図ることが可能となる。その結果、冷凍ケース３３による独立した断熱区画がその性能を発揮し、冷凍ケース３３内の温度や湿度を好適に保持することができる。また、補助ガスケット３６を本体扉３１の輪郭形状に対応する形状で構成することにより、冷却庫１の外部の空気の影響が庫内に及ぶことを抑制する作用を本体扉３１の全周において高めることが可能となる。
【００２３】
次に、本発明の第２の実施形態に係る冷却庫のガスケットの詳細な構成について、図４、及び図５を用いて説明する。図４は冷凍室を示す部分拡大垂直断面図、図５は冷凍室の本体扉の背面図である。なお、この実施形態の基本的構成は、前記図１〜図３に示す第１の実施形態と同じであるので、第１の実施形態と共通する構成要素には前と同じ符号を付し、説明は省略するものとする。
【００２４】
図４、及び図５に示す第２の実施形態においては、冷凍庫３０の本体扉３１の補助ガスケット３６は、４個の冷凍ケース３３ａ〜３３ｄに対して、各々の冷凍ケース３３の前面全周に渡って当接するように設けられている。これにより、冷凍ケース３３の前面と本体扉３１の内面との間に形成された空気断熱層を囲い込んでいる。
【００２５】
このようにして、補助ガスケット３６が冷凍ケース３３の前面全周に渡って当接し、冷凍ケース３３の前面と本体扉３１の内面との間に空気断熱層が形成されるので、冷凍ケース３３の前面の箇所において断熱効果がより一層向上する。したがって、冷凍ケース３３への熱の侵入を効果的に抑制することが可能となる。
【００２６】
次に、本発明の第３の実施形態に係る冷却庫の詳細な構成について、図６〜図８を用いて説明する。図６は冷凍室を示す部分拡大垂直断面図、図７は同じく水平断面図、図８は同じく正面図である。なお、この実施形態の基本的構成は、前記図１〜図５に示す第１、及び第２の実施形態と同じであるので、これらの実施形態と共通する構成要素には前と同じ符号を付し、説明は省略するものとする。
【００２７】
図６〜図８に示す第３の実施形態においては、冷凍室３０に、計２個の冷凍ケース３３ｅ、３３ｆが上下に重なる形で収納されている。これらの冷凍ケース３３は、前面中央部に窪み状の手掛け部３７を有している。この手掛け部３７に手を掛けることにより、冷凍ケース３３を前方にスライドさせて引き出すことができる。
【００２８】
２個の冷凍ケース３３ｅ、３３ｆの後部上方には、各々のケースに冷気を送り込む吹出ノズル５０が設けられている。吹出ノズル５０の先端下部には吹出口５１が設けられ、冷気はこの吹出口５１を通じて冷凍ケース３３ｅ、３３ｆに吹き出される。吹出ノズル５０から冷凍ケース３３内に送り込まれた冷気は、冷凍ケース３３内を廻った後、手掛け部３７の上部に設けられた排気口３８から排出される。
【００２９】
冷凍庫３０の本体扉３１の裏面には、主ガスケット３５よりも内側に補助ガスケット３６が装着されている。補助ガスケット３６は上下方向に延びる棒状をなし、２本の補助ガスケット３６が２個の冷凍ケース３３ｅ、３３ｆの前面左右端に各々当接するように設けられている。これにより、冷凍ケース３３の前面と本体扉３１の内面との間に、上下方向に通じる冷気通路６０が形成されている。
【００３０】
このようにして、冷凍ケース３３の後方上部から冷気を導入し、冷凍ケース３３の前面部から冷気を排出する冷却庫１において、補助ガスケット３６が冷凍ケース３３の前面左右端に当接し、冷凍ケース３３の前面と本体扉３１の内面との間に冷気通路６０が形成されるので、冷凍ケース３３の後方から前方にかけて、冷気を円滑に誘導することが可能となる。これにより、冷凍ケース３３の前部まで冷気を効果的に送り込むことができ、冷凍ケース３３内を均一に冷却することができる。
【００３１】
次に、本発明の第４の実施形態に係る冷却庫の詳細な構成について、図９、及び図１０を用いて説明する。図９は冷凍室を示す水平断面図、図１０は同じく正面図である。なお、この実施形態の基本的構成は、前記図１〜図８に示す第１〜第３の実施形態と同じであるので、これらの実施形態と共通する構成要素には前と同じ符号を付し、説明は省略するものとする。
【００３２】
図９、及び図１０に示す第４の実施形態においては、冷凍庫３０の本体扉３１の補助ガスケット３６は上下方向に延びる棒状をなし、２本の補助ガスケット３６が、各々２個の冷凍ケース３３ｅ、３３ｆの前面左右端と、本体１０とに当接する。
【００３３】
このようにして、補助ガスケット３６が、冷凍ケース３３の前面と本体扉３１の内面との間に冷気通路６０を形成するとともに、本体１０と冷凍ケース３３の前面に当接するので、冷気通路６０の断熱効果がさらに向上され、冷凍ケース３３の冷却作用をより一層高めることが可能となる。
【００３４】
以上、本発明の各実施形態につき説明したが、本発明の範囲はこれに限定されるものではなく、発明の主旨を逸脱しない範囲で種々の変更を加えて実施することができる。
【産業上の利用可能性】
【００３５】
本発明は家庭用又は業務用の冷却庫全般に利用可能である。
【図面の簡単な説明】
【００３６】
【図１】本発明の第１の実施形態に係る冷却庫の垂直断面左側面図である。
【図２】図１の冷凍室上部のガスケット周辺を示す部分拡大垂直断面図である。
【図３】図１の冷凍室の本体扉の背面図である。
【図４】本発明の第２の実施形態に係る冷却庫の冷凍室を示す部分拡大垂直断面図である。
【図５】図４の冷凍室の本体扉の背面図である。
【図６】本発明の第３の実施形態に係る冷却庫の冷凍室を示す部分拡大垂直断面図である。
【図７】図６に示す冷凍室の水平断面図である。
【図８】図６に示す冷凍室の正面図である。
【図９】本発明の第３の実施形態に係る冷却庫の冷凍室を示す水平断面図である。
【図１０】図９に示す冷凍室の正面図である。
【符号の説明】
【００３７】
１    冷却庫
１０  本体
１１  仕切り部
２０  冷蔵室
２１  本体扉
３０  冷凍室
３１  本体扉
３３ａ〜３３ｆ  冷凍ケース
３５  主ガスケット
３６  補助ガスケット
３８  排気口
５０  吹出ノズル
５１  吹出口
６０  冷気通路
【図１】
2006046750.tif 000003
【図２】
2006046750.tif 000004
【図３】
2006046750.tif 000005
【図４】
2006046750.tif 000006
【図５】
2006046750.tif 000007
【図６】
2006046750.tif 000008
【図７】
2006046750.tif 000009
【図８】
2006046750.tif 000010
【図９】
2006046750.tif 000011
【図１０】
2006046750.tif 000012